(57)【特許請求の範囲】
【請求項１】
第１リモコン入力によりサービスモードが選択されるか否かをチェックする工程と、
前記サービスモードが選択されるとメニュー画面をテレビスクリーン上に表示する工程と、
第２リモコン入力により前記メニュー画面上のエラーチェックモードが選択されるか否かをチェックする工程と、
前記エラーチェックモードが選択されるとエラーチェックモード画面を前記テレビスクリーン上に表示し、再生系に対して第１チェック動作を遂行し第１チェック結果をメモリに貯蔵する工程と、
前記第１チェック動作が完了されると、テスト用ビデオカセットの挿入を要求する画面を前記テレビスクリーン上に表示する工程と、
前記テスト用ビデオカセットが挿入された後には再生動作モード下で前記再生系に対して第２チェック動作を遂行し第２チェック結果を前記メモリに貯蔵する工程と、
前記第２チェック動作が完了されると、各動作モードを順次に遂行して前記再生系に対して第３チェック動作を遂行し第３チェック結果を前記メモリに貯蔵する工程と、
前記第３チェック動作が完了されると、前記メモリに貯蔵された第１ないし第３チェック結果画面を前記テレビスクリーン上に表示する工程をさらに具えることを特徴とするビデオカセットテープレコーダの対話形エラーチェック方法。
【請求項２】
前記サービスモード選択はメーカまたはサービス作業者のみに公開された少なくとも三つ以上のリモコンキー入力により選択されることを特徴とする請求項１に記載のビデオカセットテープレコーダの対話形エラーチェック方法。
【請求項３】
前記少なくとも三つ以上のリモコンキー入力はメニューキー−数字キー４−数字キー８−数字キー４の連続的入力であることを特徴とする請求項２に記載のビデオカセットテープレコーダの対話形エラーチェック方法。
【請求項４】
前記エラーチェックモードの選択は前記メニュー画面上に表示されたエラーチェックモードに対応される数字をリモコンキー入力により選択されることを特徴とする請求項１に記載のビデオカセットテープレコーダの対話形エラーチェック方法。
【請求項５】
前記第１チェック動作はキャプスタンモータとドラムモータを所定時間動作させ各モータの周波数発生信号があるか否かをチェックすることを特徴とする請求項１に記載のビデオカセットテープレコーダの対話形エラーチェック方法。
【請求項６】
前記テスト用ビデオカセットの挿入要求工程ではビデオカセットテープが挿入されているか否かをチェックする工程と、
前記ビデオカセットテープの挿入時には取り出し動作を遂行して挿入されたビデオカセットテープを排出する工程と、
前記挿入されたビデオカセットテープがなかったり、前記排出が完了された後には、挿入要求画面をテレビスクリーン上に表示する工程を具えることを特徴とする請求項１に記載のビデオカセットテープレコーダの対話形エラーチェック方法。
【請求項７】
前記第２チェック動作はテークアップリールパルス、サプライリールパルス、再生されたコントロールパルス、再生された直流エンベロープ信号があるか否かをチェックすることを特徴とする請求項１に記載のビデオカセットテープレコーダの対話形エラーチェック方法。
【請求項８】
前記第３チェック動作では、ＣＵＥ−ＲＥＶ−ＳＴＩＬＬ−ＳＬＯＷ−ＳＴＯＰ−ＲＥＷ−ＦＦ−ＥＪＥＣＴの動作モードを各動作モードごとに所定時間の間順次遂行して発生するカムデータをチェックすることを特徴とする請求項１に記載のビデオカセットテープレコーダの対話形エラーチェック方法。
【請求項９】
前記第１ないし第３チェック結果画面はキャプスタンモータ周波数パルス、ドラムモータ周波数パルス、テークアップリールパルス、サプライリールパルス、コントロールパルス、直流エンベロープ、カムデータなどの各項目別に異常があるかどうかを「ＯＫ」または「ＮＯ」で表示することを特徴とする請求項１に記載のビデオカセットテープレコーダの対話形エラーチェック方法。
【請求項１０】
リモコン信号を入力するための入力手段と、
オンスクリーンデータを入力してテレビにオンスクリーン画面信号を出力するためのオンスクリーン発生手段と、
キャプスタンモータ周波数パルス、ドラムモータ周波数パルス、テークアップリールパルス、サプライリールパルス、カムデータをそれぞれ発生するデッキ部と、
テスト用ビデオテープから再生されたコントロールパルス及び直流エンベロープ信号を発生するビデオ処理部と、
前記入力手段を通して入力されたリモコン信号に応じてサービスモードが選択されるか否かをチェックし、前記サービスモードが選択されると、前記オンスクリーン発生手段を通してメニュー画面をテレビに出力し、前記メニュー画面上のエラーチェックモードが選択されるか否かをチェックし、前記エラーチェックモードが選択されると、エラーチェックモード画面を前記テレビに出力し、前記デッキ部に対して第１チェック動作を遂行し第１チェック結果をメモリに貯蔵し、テスト用ビデオカセットの挿入を要求する画面を前記テレビに出力し、前記テスト用ビデオカセットが挿入された後には再生動作下で前記デッキ部とビデオ処理部に対して第２チェック動作を遂行し第２チェック結果を前記メモリに貯蔵し、各動作モードを順次遂行して前記デッキ部に対して第３チェック動作を遂行し第３チェック結果を前記メモリに貯蔵し、前記メモリに貯蔵された第１ないし第３チェック結果画面を前記テレビに出力する制御部を含むことを特徴とするビデオカセットテープレコーダ。
【請求項１１】
前記サービスモード選択はメーカまたはサービス作業者のみに公開された少なくとも三つ以上のリモコンキー入力により選択されることを特徴とする請求項１０に記載のビデオカセットテープレコーダ。
【請求項１２】
前記第１チェック動作はキャプスタンモータとドラムモータを所定時間回転させ各モータの周波数発生信号があるか否かをチェックすることを特徴とする請求項１０に記載のビデオカセットテープレコーダ。
【請求項１３】
前記制御部はビデオカセットテープが挿入されているかどうかをチェックし、前記ビデオカセットテープが挿入されている時には取り出し動作を遂行して挿入されているビデオカセットテープを排出し、前記挿入されたビデオカセットテープがなかったり、前記排出が完了された後には挿入要求画面をテレビに出力することを特徴とする請求項１０に記載のビデオカセットテープレコーダ。
【請求項１４】
前記第２チェック動作はテークアップリールパルス、サプライリールパルス、再生されたコントロールパルス、再生された直流エンベロープ信号があるか否かをチェックすることを特徴とする請求項１０に記載のビデオカセットテープレコーダ。
【請求項１５】
前記第３チェック動作は、ＣＵＥ−ＲＥＶ−ＳＴＩＬＬ−ＳＬＯＷ−ＳＴＯＰ−ＲＥＷ−ＦＦ−ＥＪＥＣＴの動作モードを各動作モードごとに所定時間順次遂行して発生するカムデータをチェックすることを特徴とする請求項１０に記載のビデオカセットテープレコーダ。
【請求項１６】
前記第１ないし第３チェック結果画面はキャプスタンモータ周波数パルス、ドラムモータ周波数パルス、テークアップリールパルス、サプライリールパルス、コントロールパルス、直流エンベロープ、カムデータなどの各項目別に異常があるかどうかを「ＯＫ」または「ＮＯ」で表示することを特徴とする請求項１０に記載のビデオカセットテープレコーダ。
【請求項１７】
サービスモードの選択時にはメニュー画面をテレビスクリーン上に表示する工程と、
前記メニュー画面上のエラーチェックモードが選択されると、エラーチェックモード画面を前記テレビスクリーン上に表示し、再生系に対して第１チェック動作を遂行し第１チェック結果をメモリに貯蔵する工程と、
前記第１チェック動作が完了されると、ビデオカセットが挿入されているかどうかをチェックする工程と、
前記ビデオカセットテープが挿入されている時には取り出し動作を遂行して挿入されたビデオカセットテープを排出する工程と、
前記挿入されたビデオカセットテープがなかったり、前記排出が完了された後には挿入要求画面をテレビスクリーン上に表示する工程と、
前記テスト用ビデオカセットテープが挿入された後には再生動作モード下で前記再生系に対して第２チェック動作を遂行し第２チェック結果を前記メモリに貯蔵する工程と、
前記第２チェック動作が完了されると、各動作モードを順次に遂行して前記再生系に対して第３チェック動作を遂行し第３チェック結果を前記メモリに貯蔵する工程と、
前記第３チェック動作が完了されると、前記メモリに貯蔵された第１ないし第３チェック結果画面を前記テレビスクリーン上に表示する工程を具えることを特徴とするビデオカセットテープレコーダの対話型エラーチェック方法。
【発明の詳細な説明】
【０００１】
【発明の属する技術分野】
本発明はビデオカセットテープレコーダのサービスモードに関するものであり、より詳細にはテストや故障修理時に作業者がリモコンを使用してテレビスクリーン上の画面に対応してシステムのエラーを対話型でチェックできるエラーチェック方法及び装置に関するものである。
【０００２】
【従来の技術】
ビデオカセットテープレコーダは受信されるＴＶ放送方式に合う仕様で設計製作される。従って、ビデオカセットテープレコーダを生産するメーカは多様の放送方式に合う多様の製品を同一生産ラインで生産するするために部品の統一化及び標準化を通して生産効率を向上させる方式を採択している。
【０００３】
従って、基本放送セットにオプションを追加することにより類似な複数の別の方式セットを生産ラインで生産が可能なように開発工程から考えなければならない。それで、開発者は多様なオプションによる試製品の開発とテスト時により多くの時間と努力をしなければならない。
【０００４】
製品の開発とテスト時またはアフタサービス時に作業能率を高めるためにセットのエラーチェックを体系化させる技術が要求された。
【０００５】
Ｓｅｏｎｇ  Ｗ．ＪＯ  による米国特許第５，６０４，６４７号にはセットのエラーチェックを体系化させた技術が開示されている。このようなエラーチェックの体系化技術は製品に採択されアフタサービス時にも効率的に活用されている。
【０００６】
また、Ｔａｋａｓｈｉ    Ｋｏｊｉｍａ  などによる米国特許第５，５０６，８９２号には電話網を利用して遠隔地でビデオカセットテープレコーダのチェッキングと調整が可能な技術を開示している。
【０００７】
【発明が解決しようとする課題】
しかしながら、現場で特別な測定装備なしで簡単にセットが異常であるか否かを容易にチェックすることができ、チェック結果をより具体的に表示する技術はまだ提供されていない実情である。
【０００８】
従って、本発明は以上のような従来技術の問題点を解決するためのものであり、本発明の目的は作業者が特別な装備がなくてもセットと対話型でエラーがチェックできるビデオカセットレコーダのエラーチェック方法及び装置を提供することにある。
【０００９】
【課題を解決するための手段】
前記目的を達成するための本発明による方法は、第１リモコン入力によりサービスモードが選択されるか否かをチェックする工程と、前記サービスモードが選択されるとメニュー画面をテレビスクリーン上に表示する工程と、第２リモコン入力により前記メニュー画面上のエラーチェックモードが選択されるかをチェックする工程と、前記エラーチェックモードが選択されるとエラーチェックモード画面を前記テレビスクリーン上に表示し、再生系に対して第１チェック動作を遂行し第１チェック結果をメモリに貯蔵する工程と、前記第１チェック動作が完了されると、テスト用ビデオカセットの挿入を要求する画面を前記テレビスクリーン上に表示する工程と、前記テスト用ビデオカセットが挿入された後には再生動作モード下で前記再生系に対して第２チェック動作を遂行し第２チェック結果を前記メモリに貯蔵する工程と、前記第２チェック動作が完了されると、各動作モードを順次に遂行して前記再生系に対して第３チェック動作を遂行し第３チェック結果を前記メモリに貯蔵する工程と、前記第３チェック動作が完了されると、前記メモリに貯蔵された第１ないし第３チェック結果画面を前記テレビスクリーン上に表示する工程をさらに具えることを特徴とする。
【００１０】
また、前記目的を達成するための本発明による装置は、リモコン信号を入力するための入力手段と、オンスクリーンデータを入力してテレビにオンスクリーン画面信号を出力するためのオンスクリーン発生部と、キャプスタンモータ周波数パルス、ドラムモータ周波数パルス、テークアップリールパルスサプライリールパルス、カムデータをそれぞれ発生するデッキ部と、テスト用ビデオテープから再生されたコントロールパルス及び直流エンベロープ信号を発生するビデオ処理部と、前記入力手段を通して入力されたリモコン信号に応じてサービスモードが選択されるか否かをチェックし、前記サービスモードが選択されると、前記オンスクリーン発生手段を通してメニュー画面をテレビに出力し、前記メニュー画面上のエラーチェックモードが選択されるか否かをチェックし、前記エラーチェックモードが選択されると、エラーチェックモード画面を前記テレビに出力し、前記デッキ部に対して第１チェック動作を遂行し第１チェック結果をメモリに貯蔵し、テスト用ビデオカセットの挿入を要求する画面を前記テレビに出力し、前記テスト用ビデオカセットが挿入された後には再生動作下で前記デッキ部とビデオ処理部に対して第２チェック動作を遂行し第２チェック結果を前記メモリに貯蔵し、各動作モードを順次遂行して前記デッキ部に対して第３チェック動作を遂行し第３チェック結果を前記メモリに貯蔵し、前記メモリに貯蔵された第１ないし第３チェック結果画面を前記テレビに出力する制御部を含むことを特徴とする。
【００１１】
以上のような本発明の目的と別の特徴及び長所などは次ぎに参照する本発明のいくつかの好適な実施例に対する以下の説明から明確になるであろう。
【００１２】
【発明の実施の形態】
以下、添付図面に基づいて本発明の好適な実施例によるビデオカセットレコーダの対話型エラーチェック方法及び装置の構成と動作が説明される。図１は本発明によるビデオカセットテープレコーダのブロック構成を示す。図１に示すように、ビデオカセットテープレコーダはチューナ部１０、スイッチング部２０、オンスクリーン発生部３０、ビデオ処理部４０、デッキ部５０、入力部６０、制御部７０を含む。
【００１３】
チューナ部１０はアンテナを通して受信されるテレビ放送信号のうち選択されたチャンネルの放送信号をチューニングし、チューニングされた信号を復調してビデオ信号とオーディオ信号とを出力する。また、チューナ部１０は入力されたビデオ信号とオーディオ信号とを特定チャンネルの放送信号に変調して高周波信号に出力する。この高周波信号はテレビセットのアンテナ入力で提供される。
【００１４】
スイッチング部２０はビデオ信号とオーディオ信号との入出力を動作モードによりスイッチングする。スイッチング部２０のライン出力はテレビセットにライン入力される。
【００１５】
オンスクリーン発生部３０は提供されるオンスクリーンデータ（ＯＳＤ  ＤＡＴＡ）を入力してＲＧＢ信号に変換し、ＲＧＢ信号を再びビデオ信号に変換させ変換された信号を複合ビデオ信号に重畳させ出力する。
【００１６】
ビデオ処理部４０はビデオ再生ヘッドを通してビデオカセットテープから再生された信号の直流エンベロ−プ（ＤＣ−ＥＮＶＥＬＯＰ）を検出して直流エンベロープを出力し、コントロールヘッドを通してテープから再生されたコントロールパルス（ＣＴＬ）を出力する。また、ビデオ処理部４０は再生されたビデオ信号を輝度及び色信号に分離して信号処理をした後に複合ビデオ信号に出力する。
【００１７】
デッキ部５０はキャプスタンモータの回転時に発生する周波数パルスＣＡＰ−ＦＧ、ドラムモータの回転時に発生する周波数パルスＤＲＵＭ−ＦＧ、ビデオカセットテープのテークアップリールの回転時に発生するテークアップリールパルスＴ−ＲＥＥＬ、サプライリールの回転時に発生するサプライリールパルスＳ−ＲＥＥＬ、カム動作によりプログラムスイッチのスイッチング動作に応答して発生するカムデータＣＡＭ−ＤＡＴＡをそれぞれ発生する。デッキ部５０は取り付けられたビデオカセットテープ５２を与えられた動作モードにより駆動する。
【００１８】
入力部６０はリモコン６２の光信号を入力してキー信号を発生し、セットの前面パネルのキーパッドに応答してキー信号を発生する。
【００１９】
制御部７０はマイクロコンピュータで構成され、メモリ７２を含む。マイクロコンピュータではメモリ７２に貯蔵された運用プログラムを実行して前述した各部を制御しエラーチェックプログラムを実行する。
【００２０】
図２ないし図５は本発明による望ましい実施例の対話型エラーチェック方法を説明する流れ図を示す。作業者はビデオカセットテープレコーダとテレビセットをライン連結した状態でエラーチェックモードを実行する。
【００２１】
図２を参照すると、本発明のサービスモードプログラムはセット開発者、テスト作業者またはアフタサービス作業者のような特定の作業者のみに公開された暗号キー組合のみによりオープンされる。これは消費者がサービスモードに接近することが防止できる。すなわち、作業者がリモコン６２でまず「メニューキー」を押した後、例えば、数字キー４−８−４のような暗号キーを連続的に押す。セットでは入力部６０を通してリモコン６２のキー信号を入力して制御部７０に提供する。制御部７０では入力されたキー組合が予め決められたキー組合であるとサービスモードが選択されたと判断し（Ｓ１００）、オンスクリーンデータをオンスクリーン発生部３０に提供する。従って、オンスクリーン発生部３０ではオンスクリーンデータを入力してビデオ信号を生成する。生成されたビデオ信号はスイッチング部２０を通してテレビセットに伝達され図６に示すオンスクリーン画面がディスプレイされる（Ｓ１０２）。サービスモード（ＳＥＲＶＩＣＥ  ＭＯＤＥ）は大きく分けて、修理モード（ＲＥＰＡＩＲ  ＭＯＤＥ；「１」）、タイマーチェックモード（ＴＩＭＥＲ  ＣＨＥＣＫ  ＭＯＤＥ；「２」）、ＥＥＰＲＯＭデータ変更モード（Ｅ２  ＰＲＯＭ  ＤＡＴＡ  ＣＨＡＮＧＥ  ＭＯＤＥ；「３」）などがある。
【００２２】
次いで、作業者が画面に表示されたように修理モードを選択するためにリモコン６２を通して数字キー１を押すと前述したところと同様にキー信号が制御部７０に伝達される。制御部７０では修理モードが選択されたものとして判断し（Ｓ１０４）、オンスクリーンデータをオンスクリーン発生部３０に提供する。従って、オンスクリーン発生部３０ではオンスクリーンデータを入力してビデオ信号を生成する。生成されたビデオ信号はスイッチング部２０を通してテレビセットに伝達され図７に示したオンスクリーン画面がディスプレイされる（Ｓ１０６）。修理モードではエラーチェックモード（ＥＲＲＯＲ  ＣＨＥＣＫ  ＭＯＤＥ；「１」）、ジグ連結モード（ＤＥＣＫ  ＪＩＧ  ＣＯＮＮＥＣＴＩＯＮ  ＭＯＤＥ；「２」）、デッキがないＥＥモード（ＥＥ  ＭＯＤＥ  ＷＩＴＨＯＵＴ  ＤＥＣＫ；「３」）などがある。
【００２３】
画面に表示されているようにエラーチェックモードを選択するためにリモコン６２を通して数字キー１を押すと、前述したような同様の動作により制御部７０ではエラーチェックモードが選択されたものとして判断され（Ｓ１０８）、オンスクリーンデータをオンスクリーン発生部３０に提供する。従って、オンスクリーン発生部３０ではオンスクリーンデータを入力してビデオ信号を生成する。生成されたビデオ信号はスイッチング部２０を通してテレビセットに伝達され図８に示すオンスクリーン画面がディスプレイされる（Ｓ１１０）。エラーチェックモードは大きく第１及び第３チェック動作で区分され実行される。
【００２４】
図３を参照すると、第１チェック動作時には制御部７０はまずデッキ部５０にあるキャプスタンモータを所定時間、例えば、５秒以上回転させ（Ｓ１１２）、キャプスタンモータの周波数パルスが発生するか否かをチェックする（Ｓ１１４）。制御部７０では周波数パルスの発生があるとキャプスタンモータに異常がないものとして判断してキャプスタン（ＣＡＰＳＴＡＮ）モータチェック項目に「ＯＫ」という情報をメモり７２に貯蔵する（Ｓ１１６）。反対に周波数パルスの発生がないとキャプスタンモータが回転されなかったり、周波数パルス発生器に異常があるものとして判断して「ＮＯ」という情報をメモり７２に貯蔵する（Ｓ１１８）。次いで、制御部７０はデッキ部５０にあるドラムモータを所定時間、例えば、５秒以上回転させ（Ｓ１１９）、ドラムモータの周波数パルスが発生するか否かをチェックする（Ｓ１２０）。制御部７０では周波数パルスの発生があるとドラムモータに異常がないものとして判断してドラムモータチェック項目に「ＯＫ」という情報をメモり７２に貯蔵する（Ｓ１２２）。反対に周波数パルスの発生がないとドラムモータが回転されなかったり、周波数パルス発生器に異常があるものとして判断したりして「ＮＯ」という情報をメモり７２に貯蔵する（Ｓ１２４）。
【００２５】
このように第１チェック動作ではデッキ部５０のキャプスタンモータ系及びドラムモータ系をチェックする。第１チェック動作の中にはチェック中であることを表示するために画面上に「ＣＨＥＣＫＩＮＧ」という文字表示を点滅させる。
【００２６】
第１チェック動作が完了されると、制御部７０ではデッキ部５０のリールモータを数秒間回転させ（Ｓ１２６）、リールパルスの発生をチェックする（Ｓ１２８）。デッキ部５０にビデオカセットテープが取り付けられている場合にはリールパルスが発生されるために制御部７０では取り出し（ＥＪＥＣＴ；排出）モードを実行して取り入れたビデオカセットテープを吐き出させる（Ｓ１３０）。ステップＳ１２８でデッキ部５０内に挿入されているビデオカセットテープがなかったりステップＳ１３０で取り出し動作が完了されると、制御部７０ではテスト用ビデオカセットテープ５２の挿入を要求する画面、例えば、図９に示すような画面（「ＰＬＥＡＳＥ  ＩＮＳＥＲＴ  Ａ  ＴＥＳＴ  ＶＩＤＥＯ  ＣＡＳＳＥＴＴＥ  ＦＯＲ  ＥＲＲＯＲ  ＣＨＥＣＫ  」）をテレビスクリーン上にディスプレイさせる（Ｓ１３２）。これに、作業者がテスト用ビデオカセットテープ５２を挿入させると、制御部７０ではテープが入っているかどうかを判断する（Ｓ１３４）。
【００２７】
図４を参照すると、ステップＳ１３４でテープが入っていることが確認されると、制御部７０では５秒以上テスト用テープを再生させる（Ｓ１３６）。制御部７０ではテープ５２の再生動作により発生されるテークアップリールパルス、サプライリールパルス、コントロールパルス、直流エンベロ−プ信号などを順次にチェッキングする。
【００２８】
すなわち、制御部７０ではテークアップリールパルスが発生するか否かをチェックし（Ｓ１３８）、パルスの発生があるとテークアップリール系に異常がないものとして判断してテークアップリールチェック項目に「ＯＫ」という情報をメモり７２に貯蔵する。（Ｓ１４０）。反対にパルスの発生がないとテークアップリール系に異常があるものとして判断して「ＮＯ」という情報をメモり７２に貯蔵する（Ｓ１４２）。次いで、サプライリールパルスが発生するか否かをチェックし（Ｓ１４４）、パルスの発生があるとサプライリール系に異常がないものとして判断してサプライリールチェック項目に「ＯＫ」という情報をメモり７２に貯蔵する（Ｓ１４６）。反対にパルスの発生がないとサプライリール系に異常があるものとして判断して「ＮＯ」という情報をメモり７２に貯蔵する（Ｓ１４８）。
【００２９】
また、制御部７０ではコントロールヘッドを通して再生されるコントロールパルスが発生するか否かをチェックし（Ｓ１５０）、パルスの発生があるとコントロールヘッドに異常がないものとして判断してコントロールヘッドチェック項目に「ＯＫ」という情報をメモり７２に貯蔵する（Ｓ１５２）。反対にパルスの発生がないとコントロールヘッド系に異常があるものとして判断して「ＮＯ」という情報をメモり７２に貯蔵する（Ｓ１５４）。次いで、直流エンベロープ信号が発生するか否かをチェックし（Ｓ１５６）、信号の発生があるとビデオ再生ヘッド系に異常がないものとして判断して直流エンベロープチェック項目に「ＯＫ」という情報をメモり７２に貯蔵する（Ｓ１５８）。反対に信号の発生がないとビデオ再生ヘッド系に異常があるものとして判断して「ＮＯ」という情報をメモり７２に貯蔵する（Ｓ１６０）。
【００３０】
このように第２チェック動作ではテープの再生動作によるリール系及び再生ヘッドが異常であるか否かをチェックする。
【００３１】
前記した第２チェック動作が完了されると制御部７０では第３チェック動作を遂行する。
【００３２】
図５を参照すると、第３チェック動作では、制御部７０はＣＵＥ（キュー）−ＲＥＶ（レビュー）−ＳＴＩＬＬ（静止）−ＳＬＯＷ（スロー）−ＳＴＯＰ（停止）−ＲＥＷ−ＦＦ（早送り）−ＥＪＥＣＴの動作モードを各動作モードごとに所定時間順次遂行する（Ｓ１６２）。このような一連の動作モードを順次に遂行しながら、制御部７０ではデッキ部５０のカム動作に応答してスイッチングされるプログラムスイッチのスイッチング信号をカムデータに入力する。制御部７０では入力されたカムデータを予め決められた各動作モードの基準データと同一であるかをチェックする（Ｓ１６４）。カムデータが基準データと一致すると、デッキ部の駆動メカニズム系に異常がないものとして判断してカムデータチェック項目に「ＯＫ」という情報をメモり７２に貯蔵する（Ｓ１６６）。反対に一致しないとデッキ部５０の駆動メカニズム系に異常があるものとして判断して「ＮＯ」という情報をメモり７２に貯蔵する（Ｓ１６８）。
【００３３】
以上のように、第３チェック動作まで完了されると、制御部７０ではメモリに貯蔵された各チェック項目別チェック結果を読み出して図１０に示すエラーチェック結果（ＥＲＲＯＲ  ＣＨＥＣＫ  ＲＥＳＵＬＴＳ）画面をテレビスクリーン上にディスプレイする（Ｓ１７０）。従って、作業者はディスプレイされた画面を見てデッキ部５０の故障個所を容易に把握できる。図１０の画面を見て作業者が数字キー０を押すと（Ｓ１７２）、制御部７０では図４の修理モードメニュー画面に復帰（ＲＥＴＵＲＮ）させる。
【００３４】
【発明の効果】
以上で説明したように、本発明では作業者が特別なテスト装備や道具がなくてもテレビとリモコンとテスト用ビデオカセットテープだけでビデオカセットテープレコーダが異常であるか否かを容易にチェックできる。また、作業者が画面を見ながら、指示された順番により工程的に対話型でチェック作業が遂行でき、チェック結果が画面上に具体的に表現されるために熟練者でなくても体系的に作業が遂行できる。
【００３５】
それで、開発室、または生産ラインのテスト工程、アフタサービスの現場で特別な装備がなくてもテレビ、リモコン、テスト用テープだけで非熟練者であっても容易にセットが異常であるか否かをチェックできる。
【００３６】
本発明を実施例によって詳細に説明したが、本発明は実施例によって限定されず、本発明が属する技術分野において通常の知識を有するものであれば本発明の思想と精神を離れることなく、本発明を修正または変更できるであろう。
【図面の簡単な説明】
【図１】本発明によるビデオカセットテープレコーダの構成を示すブロック図である。
【図２】本発明による望ましい実施例の対話型エラーチェック方法を説明する流れ図である。
【図３】同じく、本発明による望ましい実施例の対話型エラーチェック方法を説明する流れ図である。
【図４】同じく、本発明による望ましい実施例の対話型エラーチェック方法を説明する流れ図である。
【図５】同じく、本発明による望ましい実施例の対話型エラーチェック方法を説明する流れ図である。
【図６】本発明によるエラーチェック画面状態を示す図面である。
【図７】同じく、本発明によるエラーチェック画面状態を示す図面である。
【図８】同じく、本発明によるエラーチェック画面状態を示す図面である。
【図９】同じく、本発明によるエラーチェック画面状態を示す図面である。
【図１０】同じく、本発明によるエラーチェック画面状態を示す図面である。
【符号の説明】
１０  チューナ部
２０  スイッチング部
３０  オンスクリーン発生部
４０  ビデオ処理部
５０  デッキ部
５２  ビデオカセットテープ
６０  入力部
６２  リモコン
７０  制御部
７２  メモリ
【図１】
0003625647.tif 000002
【図２】
0003625647.tif 000003
【図３】
0003625647.tif 000004
【図４】
0003625647.tif 000005
【図５】
0003625647.tif 000006
【図６】
0003625647.tif 000007
【図７】
0003625647.tif 000008
【図８】
0003625647.tif 000009
【図９】
0003625647.tif 000010
【図１０】
0003625647.tif 000011